(57)【要約】【課題】  汎用性を有するカード型電子部品及び無線接続方法を提供する。【解決手段】  ＰＣカード１は、モジュール部１１と、カードアダプタ部２１とを備えている。モジュール部１１は、一端側にアンテナ３１が内蔵された、一般的な無線ＬＡＮモジュールと同様の構成に形成されている。カードアダプタ部２１は、モジュール部１１に取り付けた状態で、ＰＣの装着部に装着可能であり、ＰＣの装着部に装着した状態でアンテナ３１がＰＣの外部に配置可能な長さに形成されている。【選択図】図１
2005295161.tif 000002
【特許請求の範囲】
【請求項１】
アンテナを内蔵し、第１の規格に従った無線カードモジュールと、
前記無線カードモジュールの電子機器の装着部に装着する方向に取り付け可能なカードアダプタと、を備え、
前記カードアダプタは、前記無線カードモジュールに取り付けた状態で、前記第１の規格と無線カードモジュールの長さが異なる第２の規格に従った無線カードモジュールを装着する電子機器の装着部に装着可能であり、当該電子機器に装着した状態で前記無線カードモジュールのアンテナが前記電子機器の外部に配置可能な長さに形成されている、ことを特徴とするカード型電子部品。
【請求項２】
前記無線カードモジュールの側面には凹部が形成され、
前記カードアダプタは、前記無線カードモジュールを取り付ける取り付け部を挟むように、その端部の両側部から長手方向に突出形成された一対の脚部が設けられ、
前記脚部は、前記カードアダプタが前記無線カードモジュールに取り付けられた状態で前記凹部に対応する位置に、当該凹部に係止可能な爪部が設けられている、ことを特徴とする請求項１に記載のカード型電子部品。
【請求項３】
前記無線カードモジュールの側面には、前記カードアダプタが前記無線カードモジュールに取り付けられた状態で前記脚部を収容可能な溝部が設けられている、ことを特徴とする請求項２に記載のカード型電子部品。
【請求項４】
前記カードアダプタは、前記無線カードモジュールを取り付ける取り付け部の幅方向を覆うように延伸形成され、当該取り付け部を保護する一対の保護部と、前記取り付け部の側方から長手方向に突出形成された脚部と、を備え、
前記脚部は、前記取り付け部より長く形成されるとともに、当該脚部が形成されていない取り付け部の側方から前記無線カードモジュールを挿入し、当該無線カードモジュールの端部と当接する位置が、前記カードアダプタの取り付け部と前記無線カードモジュールの取り付け部とが対向する位置となるように設けられている、ことを特徴とする請求項１に記載のカード型電子部品。
【請求項５】
前記カードアダプタは、前記脚部が形成されていない取り付け部の側方から長手方向に、前記取り付け部より長く突出形成して当該取り付け部を保護する保護脚部が設けられている、ことを特徴とする請求項４に記載のカード型電子部品。
【請求項６】
前記カードアダプタは、前記カードアダプタが前記無線カードモジュールに取り付けられた状態で、前記無線カードモジュールに電気的に接続する接続部が設けられ、
前記接続部は前記カードアダプタ内部で基板に電気的に接続されている、ことを特徴とする請求項２乃至５のいずれか１項に記載のカード型電子部品。
【請求項７】
第１の規格に従った無線カードモジュールを第１の電子機器の装着部に装着し、
請求項１乃至６のいずれか１項に記載のカード型電子部品を、前記第１の規格と無線カードモジュールの長さが異なる第２の規格に従った無線カードモジュールを装着する第２の電子機器の装着部に装着し、前記第１の電子機器と前記第２の電子機器とを無線により接続することを特徴とする無線接続方法。
【発明の詳細な説明】
【技術分野】
【０００１】
本発明は、カード型電子部品に関し、詳しくは、電子機器に着脱可能に装着し、各電子機器を無線により接続するカード型電子部品及び無線接続方法に関する。
【背景技術】
【０００２】
近年、携帯型のパーソナルコンピュータ（ＰＣ）等の各種の電子機器においては、カード型電子部品、例えば、ＰＣカードを使用できる機能をもつものが一般的となっている。このようなＰＣ等には、ＰＣカードを装着するカードスロットのような装着部が設けられ、装着部からのＰＣカードの脱落を防止する種々な提案がなされている（例えば、特許文献１）。
【特許文献１】特開２０００−２１４９７０号公報
【０００３】
ところで、ＰＣカードは、例えば、ＰＣとプリンタ等の出力装置とを無線ＬＡＮ（Local Area Network）等によって接続することにより、プリンタをＰＣの出力装置として機能させることができる。この場合、ＰＣの装着部に無線ＬＡＮのＰＣカードを装着し、プリンタの装着部に無線ＬＡＮのモジュールを装着する。
【発明の開示】
【発明が解決しようとする課題】
【０００４】
しかし、このような構成では、ＰＣとプリンタとに２つの異なる無線ＬＡＮモジュールが必要である。例えば、これらを海外で用いる場合、各国でＰＣ用の無線ＬＡＮカード、プリンタ用の無線ＬＡＮカードの２つに対してそれぞれ承認をとらなければ使用できなくなってしまい、汎用性に欠けるという問題がある。また、その承認に必要な費用もそれぞれにかかるので、費用が高くなってしまう。
【０００５】
かかる場合、ＰＣとプリンタとに共通の無線ＬＡＮモジュールを用いることも考えられる。しかし、電子機器によって無線ＬＡＮモジュールを装着する装着部の長さが異なることから、共通の無線ＬＡＮモジュールを用いることができない。例えば、プリンタに装着する無線ＬＡＮモジュールの長さとＰＣに装着する無線ＬＡＮモジュールの長さが異なり、プリンタ用の無線ＬＡＮモジュールをＰＣの装着部に装着すると、無線ＬＡＮモジュールがＰＣの装着部内に完全に収容されてしまい、無線ＬＡＮモジュールにさらに無線ＬＡＮ用のアンテナを設けなければならなくなってしまう。また、ＰＣとプリンタの両方に、一般的な無線ＬＡＮカードを用いれば、承認費用を抑えられるが、プリンタ等の対象となる電子機器の構造が大きくなってしまう。
【０００６】
本発明は、上記問題に鑑みてなされたものであり、汎用性を有するカード型電子部品及び無線接続方法を提供することを目的とする。
また、本発明は、共有モジュールを用いて電子機器を無線接続することができるカード型電子部品及び無線接続方法を提供することを目的とする。
さらに、本発明は、共有モジュールを用いて、無線モジュールの承認の簡素化を図ることができるカード型電子部品及び無線接続方法を提供することを目的とする。
【課題を解決するための手段】
【０００７】
上記目的を達成するため、本発明の第１の観点にかかるカード型電子部品は、
アンテナを内蔵し、第１の規格に従った無線カードモジュールと、
前記無線カードモジュールの電子機器の装着部に装着する方向に取り付け可能なカードアダプタと、を備え、
前記カードアダプタは、前記無線カードモジュールに取り付けた状態で、前記第１の規格と無線カードモジュールの長さが異なる第２の規格に従った無線カードモジュールを装着する電子機器の装着部に装着可能であり、当該電子機器に装着した状態で前記無線カードモジュールのアンテナが前記電子機器の外部に配置可能な長さに形成されている、ことを特徴とする。
【０００８】
前記無線カードモジュールの側面には凹部が形成され、
前記カードアダプタは、前記無線カードモジュールを取り付ける取り付け部を挟むように、その端部の両側部から長手方向に突出形成された一対の脚部が設けられ、
前記脚部は、前記カードアダプタが前記無線カードモジュールに取り付けられた状態で前記凹部に対応する位置に、当該凹部に係止可能な爪部が設けられていることが好ましい。
【０００９】
前記無線カードモジュールの側面には、前記カードアダプタが前記無線カードモジュールに取り付けられた状態で前記脚部を収容可能な溝部が設けられていてもよい。
【００１０】
前記カードアダプタは、前記無線カードモジュールを取り付ける取り付け部の幅方向を覆うように延伸形成され、当該取り付け部を保護する一対の保護部と、前記取り付け部の側方から長手方向に突出形成された脚部と、を備え、
前記脚部は、前記取り付け部より長く形成されるとともに、当該脚部が形成されていない取り付け部の側方から前記無線カードモジュールを挿入し、当該無線カードモジュールの端部と当接する位置が、前記カードアダプタの取り付け部と前記無線カードモジュールの取り付け部とが対向する位置となるように設けられていることが好ましい。
【００１１】
前記カードアダプタは、前記脚部が形成されていない取り付け部の側方から長手方向に、前記取り付け部より長く突出形成して当該取り付け部を保護する保護脚部が設けられていてもよい。
【００１２】
前記カードアダプタは、前記カードアダプタが前記無線カードモジュールに取り付けられた状態で、前記無線カードモジュールに電気的に接続する接続部が設けられ、
前記接続部は前記カードアダプタ内部で基板に電気的に接続されていることが好ましい。
【００１３】
本発明の第２の観点にかかる無線接続方法は、
第１の規格に従った無線カードモジュールを第１の電子機器の装着部に装着し、
第１の観点にかかるカード型電子部品を、前記第１の規格と無線カードモジュールの長さが異なる第２の規格に従った無線カードモジュールを装着する第２の電子機器の装着部に装着し、前記第１の電子機器と前記第２の電子機器とを無線により接続することを特徴とする。
【発明の効果】
【００１４】
本発明によれば、汎用性を有するカード型電子部品を提供することができる。
【発明を実施するための最良の形態】
【００１５】
以下、本発明のカード型電子部品及び無線接続方法を、携帯型のパーソナルコンピュータ（ＰＣ）等に取り付ける、無線ＬＡＮ通信機能を有するＰＣカードの場合を例に、図面を参照して説明する。
【００１６】
（第１の実施の形態）
図１は、第１の実施の形態のＰＣカードを示す斜視図である。図１に示すように、ＰＣカード１は、モジュール部１１と、カードアダプタ部２１とから構成されている。
【００１７】
モジュール部１１は、略方形のカード状に形成され、所定の電子機器の規格に従った無線カードモジュールと同様の構成に形成されている。本実施の形態では、一般的な無線ＬＡＮモジュールと同様の構成に形成されている。モジュール部１１は、一端側にアンテナ３１が内蔵され、他端側に複数の孔が形成されたコネクタホール１２が設けられている。アンテナ３１は、無線ＬＡＮ通信機能を有し、ＰＣカード１がＰＣ等に装着された状態でＰＣ等の外部に配置されるような一端側の端部近傍に設けられている。コネクタホール１２は、後述するカードアダプタ部２１に設けられたコネクタピンと接合する。
【００１８】
モジュール部１１の他端側の両側面には、それぞれ溝部１３が設けられている。また、モジュール部１１の各溝部１３の端部には、凹部１４が設けられている。凹部１４は、溝部１３よりも溝幅及び溝深さが大きく形成されている。この溝部１３及び凹部１４は、後述するカードアダプタ部２１の一対の脚部２４及び爪部２５を収容する箇所であり、これらの形状に対応した位置及び大きさに形成されている。
【００１９】
図２にモジュール部１１の構成を示す。図２に示すように、モジュール部１１は、アンテナ３１と高周波回路３２と通信制御回路３３とを備えており、一般的な無線ＬＡＮモジュールと同様の構成である。また、モジュール部１１の長さは、一般的な無線ＬＡＮモジュールと同一の長さとなるように形成されており、通常のＰＣカード規格のものよりも短くなる。
【００２０】
また、モジュール部１１の下部には、図３に示すように、突部１５が設けられている。突部１５は、モジュール部１１にカードアダプタ部２１が取り付けられた状態で、後述するカードアダプタ部２１の接続部としてのバネ部２７に接触する。
【００２１】
カードアダプタ部２１は、モジュール部１１の電子機器の装着部に装着する方向に取り付け可能である。カードアダプタ部２１は、モジュール部１１に取り付けた状態でＰＣの装着部に装着したモジュール部１１のアンテナ３１がＰＣの外部に配置可能な長さに形成されている。
【００２２】
カードアダプタ部２１の一端には、モジュール部１１のコネクタホール１２の各孔に対応するように図示しないコネクタピンが設けられ、他端にはＰＣ等の電子機器の装着部に設けられたコネクタピンと接続する複数の孔が形成されたコネクタホール２２が設けられている。
【００２３】
また、カードアダプタ部２１の一端には、図示しないコネクタピンを覆う保護部２３が設けられている。保護部２３は、コネクタピンの上部及び下部を覆う２枚の板状物から構成されている。
【００２４】
カードアダプタ部２１の一端側には、保護部２３を挟むように一対の脚部２４が設けられている。脚部２４は、モジュール部１１の溝部１３に対応した形状に形成され、モジュール部１１がカードアダプタ部２１が取り付けられた状態で、溝部１３内に収容される。
【００２５】
脚部２４の先端には爪部２５が設けられている。爪部２５は、モジュール部１１の凹部１４に対応した形状及び位置に形成されている。そして、爪部２５を凹部１４に挿入することにより爪部２５が凹部１４に係止され、モジュール部１１がカードアダプタ部２１に取り付けられた状態で容易に取り外しできないように係止する。
【００２６】
また、保護部２３には、図３に示すように、モジュール部１１にカードアダプタ部２１が取り付けられた状態で、モジュール部１１の突部１５に接触する接続部としてのバネ部２７が設けられている。バネ部２７は、突部１５と確実に接触するように、突部１５方向に付勢されている。このバネ部２７はカードアダプタ部２１の内部で基板に電気的に接続されている。
【００２７】
このように構成されたＰＣカード１のモジュール部１１とカードアダプタ部２１とを、図１に示すような、カードアダプタ部２１のコネクタピンをモジュール部１１のコネクタホールが対向する位置から、カードアダプタ部２１の脚部２４がモジュール部１１の溝部１３に沿うようにカードアダプタ部２１を移動させる。そして、カードアダプタ部２１のコネクタピンをモジュール部１１のコネクタホールに挿入し、カードアダプタ部２１の爪部２５をモジュール部１１の凹部１４に挿入する。これにより、カードアダプタ部２１のコネクタピンがモジュール部１１のコネクタホールに接合されるとともに、カードアダプタ部２１の爪部２５がモジュール部１１の凹部１４に係止される。また、カードアダプタ部２１の脚部２４がモジュール部１１の溝部１３内に収容される。この結果、図３（ａ）及び図３（ｂ）に示すように、カードアダプタ部２１がモジュール部１１から容易に外れない状態で、モジュール部１１にカードアダプタ部２１が取り付けられる。また、図３（ａ）に示すように、接続部としてのバネ部２７と突部１５が接触し、電気的に接続された状態でモジュール部１１にカードアダプタ部２１が取り付けられる。
【００２８】
次に、無線ＬＡＮを用いた接続方法について説明する。図４は、無線ＬＡＮ接続方法を説明するためで図であり、本実施の形態のＰＣカード１を電気機器（ＰＣ）に使用した一例を示す。図４（ａ）に示すように、本例では、ＰＣカード１をＰＣ４１の装着部４２に装着するとともに、一般的な無線ＬＡＮモジュールと同様の構成に形成されたモジュール部１１をプリンタ４３の装着部４４に装着することにより、ＰＣ４１とプリンタ４３とを無線ＬＡＮにより接続している。図４（ｂ）は、ＰＣ４１の装着部４２にＰＣカード１が装着された状態を説明するための図であり、図４（ｃ）は、プリンタ４３の装着部４４にモジュール部１１が装着された状態を説明するための図である。
【００２９】
図４（ｂ）に示すように、本実施の形態のＰＣカード１をＰＣ４１の装着部４２に装着すると、ＰＣカード１のアンテナ３１は、装着部４２（ＰＣ４１）の外部に配置される。
【００３０】
また、図４（ｃ）に示すように、モジュール部１１をプリンタ４３の装着部４４に装着すると、モジュール部１１のアンテナ３１は、装着部４２（ＰＣ４１）の外部に配置される。これは、モジュール部１１が一般的な無線ＬＡＮモジュールと同様の構成に形成されているためである。
【００３１】
このように、ＰＣカード１を、一般的な無線ＬＡＮモジュールと同様の構成に形成されたモジュール部１１にカードアダプタ部２１が取り付けられた構造とすることにより、共通のモジュール部１１を用いてＰＣ４１とプリンタ４３とを無線ＬＡＮにより接続することが可能になる。この結果、共通の無線ＬＡＮモジュールを用いて複数種類の電子機器を無線ＬＡＮにより接続することができ、汎用性を有するカード型電子部品を提供することができる。
【００３２】
以上説明したように、本実施の形態によれば、モジュール部１１という共有モジュールを用いて、ＰＣ４１とプリンタ４３とを接続することができる。このため、汎用性を有するカード型電子部品を提供することができる。また、無線ＬＡＮモジュールの承認の簡素化を図ることができる。
【００３３】
本実施の形態によれば、カードアダプタ部２１に爪部２５が形成され、モジュール部１１に凹部１４が形成されているので、カードアダプタ部２１がモジュール部１１から容易に外れない状態で、モジュール部１１にカードアダプタ部２１を取り付けることができる。
【００３４】
（第２の実施の形態）
本実施の形態のＰＣカードは、基本的には第１の実施の形態のＰＣカードと同一の構成であるが、ＰＣカードを構成するモジュール部１１とカードアダプタ部２１との取り付け方法が異なっている。
【００３５】
本実施の形態では、後述するように、モジュール部１１にカードアダプタ部２１を取り付ける際に、カードアダプタ部２１の保護部２３内にモジュール部１１の端部を横方向にスライドさせるように挿入し、カードアダプタ部のコネクタピンがモジュール部のコネクタホールが対向する位置に配置した後、カードアダプタ部２１のコネクタピンをモジュール部１１のコネクタホールに装着する。
【００３６】
このように取り付け方法が異なることから、本実施の形態のＰＣカードでは、一対の脚部２４の長さが第１の実施の形態と異なっている。また、本実施の形態のＰＣカード１では、第１の実施の形態の爪部２５、及び、爪部２５に対応するモジュール部１１の凹部１４は設けられていない。なお、第１の実施の形態と同一の部材については、同一の符号を付し、その詳しい説明を省略する。また、本実施の形態では、モジュール部１１として、いわゆる３．３ｍｍ厚タイプの無線ＬＡＮモジュールを用いて、モジュール部１１のコネクタホール１２側には、ＰＣカードのＣａｒｄＢｕｓ規格に準拠したグランド部Ｅを持ち、その上に突片（ｆｉｎｇｅｒ）Ｆを設けたものを用いている。ただし、その突片Ｆは、ＣａｒｄＢｕｓ規格に準じていなくてもかまわない。
【００３７】
図５は、本実施の形態のカードアダプタ部２１を示す図であり、（ａ）は正面図、（ｂ）は上面図、（ｃ）は右側面図、（ｄ）は正面図で保護部２３を取り外した図である。
【００３８】
図５（ａ）に示すように、カードアダプタ部２１の保護部２３には、凸部２３ａが設けられている。凸部２３ａは、例えば、絞り加工により形成され、カード６８ＰＩＮのグランド凸部のガイドとして機能する。
【００３９】
カードアダプタ部２１には長さの異なる一対の脚部２４ａ、２４ｂが設けられている。脚部２４ａは、その全長が脚部２４ｂより長く形成されている。脚部２４ａは、カードアダプタ部２１の保護部２３内にモジュール部１１のコネクタホール１２側の端部を通して、モジュール部１１にカードアダプタ部２１を取り付ける際のストッパとして機能する。また、脚部２４ａは、モジュール部１１にカードアダプタ部２１を取り付ける際のコネクタピン２６のガイドとして機能する。このため、脚部２４ａは、カードアダプタ部２１の保護部２３内にモジュール部１１の端部を横方向に挿入してスライドさせたとき、モジュール部１１の端部に接触する長さに形成されている。
【００４０】
脚部２４ｂは、モジュール部１１にカードアダプタ部２１を取り付ける際に、モジュール部１１の端部がコネクタピン２６に接触することを防ぐことができるように、コネクタピン２６より長く形成されている。ただし、脚部２４ｂを長くしすぎると、モジュール部１１の端部をカードアダプタ部２１の保護部２３内に挿入することができなくなってしまうため、モジュール部１１が保護部２３内に挿入できるような長さに形成されている。
【００４１】
このように構成されたＰＣカード１のモジュール部１１にカードアダプタ部２１を取り付けるには、まず、モジュール部１１のコネクタホール１２側の端部を、カードアダプタ部２１の脚部２４ｂ側から保護部２３内に挿入し、幅方向（図６（ａ）の矢印方向）にスライドさせる。図７はモジュール部１１を保護部２３内に挿入しスライドさせた状態を示す図である。ここで、脚部２４ｂは、コネクタピン２６より長く形成されているので、モジュール部１１にカードアダプタ部２１を取り付ける際に、モジュール部１１の端部がコネクタピン２６に接触することを防ぐことができる。そして、図６（ｂ）に示すように、モジュール部１１をその端部が脚部２４ａに当接するまで移動させる。この状態で、カードアダプタ部２１のコネクタピン２６がモジュール部１１のコネクタホール１２に対向する位置となる。このように、モジュール部１１の端部が脚部２４ａに当接させることにより、コネクタピン２６をコネクタホール１２に対向する位置に容易に配置することができる。
【００４２】
続いて、カードアダプタ部２１を脚部２４ａに沿ってモジュール部１１側（図６（ｂ）の矢印方向）に移動させ、カードアダプタ部２１のコネクタピン２６をモジュール部１１のコネクタホール１２に挿入する。ここで、カードアダプタ部２１を脚部２４ａに沿って移動させているので、コネクタピン２６をコネクタホール１２に確実に挿入することができる。このようにして、図６（ｃ）に示すように、カードアダプタ部２１のコネクタピン２６がモジュール部１１のコネクタホールに接合される。この結果、カードアダプタ部２１がモジュール部１１から容易に外れない状態で、モジュール部１１にカードアダプタ部２１が取り付けられる。図８は、モジュール部１１にカードアダプタ部２１を取り付けた状態を示す図である。図８（ａ）に示すように、接続部としてのバネ部２７とアースプレートＣ上の突部１５が接触した状態でモジュール部１１にカードアダプタ部２１が取り付けられる。また、アースプレートＣと保護部２３が接続され、保護部２３は、基板Ｂ上に設けられたグランドピンＤを介してグランドプレートＡに電気的に接続されている。
【００４３】
ところで、このように取り付けられたＰＣカード１をＰＣ４１の装着部４２に装着する際に加わる力は、モジュール部１１にカードアダプタ部２１が取り付ける際に加わる力と同一方向であるため、モジュール部１１とカードアダプタ部２１とが外れることがない。また、装着部４２に装着するため、幅方向にずれることもない。
【００４４】
ＰＣカード１をＰＣ４１の装着部４２から外すときには、図６（ｄ）に示すように、モジュール部１１とカードアダプタ部２１とが図６（ｄ）のＸ線まで外れることもあるが、ここがストッパとしての役割を果たすため、ＰＣカード１をＰＣ４１の外に取り出すことができる。なお、この状態でモジュール部１１をスライドさせることにより、モジュール部１１をカードアダプタ部２１から取り外すことができる。
【００４５】
以上説明したように、本実施の形態によれば、モジュール部１１という共有モジュールを用いて、ＰＣ４１とプリンタ４３とを接続することができる。このため、汎用性を有するカード型電子部品を提供することができる。また、無線ＬＡＮモジュールの承認の簡素化を図ることができる。
【００４６】
本実施の形態によれば、ストッパ及びガイドとして機能する脚部２４ａが設けられているので、コネクタピン２６をコネクタホール１２に確実に挿入することができる。
【００４７】
なお、本発明は、上記の実施の形態に限られず、種々の変形、応用が可能である。以下、本発明に適用可能な他の実施の形態について説明する。
【００４８】
上記実施の形態では、モジュール部１１が略方形のカード状に形成され、一端側にアンテナ３１が内蔵されている場合を例に本発明を説明したが、モジュール部１１の形状は装着する電子機器の装着部に対応した形状であればよく、例えば、図９に示すように、アンテナ３１が内蔵されたアンテナ部５１が軸５２を中心として回転可能に構成されていてもよい。この場合、装着する電子機器に応じて、図９（ａ）に示すアンテナ部５１がモジュール部１１側に収容されている状態から、図９（ｂ）または図９（ｃ）に示すように、アンテナ部５１がモジュール部１１から突出する状態に移動させることにより、ＰＣカードが電子機器に装着された状態でアンテナ３１を電子機器外となるように配置することが容易になる。このため、ＰＣカードが電子機器に装着された状態でアンテナ３１を電子機器外に配置することが容易になり、ＰＣカードの汎用性をさらに高めることができる。また、アンテナ３１の両面にアンテナパターン５３を付けて複数の周波数帯に対応させることも可能である。
【００４９】
第１の実施の形態では、爪部２５を凹部１４に係止させることにより、カードアダプタ部２１がモジュール部１１から容易に外れない状態で、モジュール部１１にカードアダプタ部２１を取り付けた場合を例に本発明を説明したが、例えば、爪部２５及び凹部１４を設けなくてもよい。この場合にも、汎用性を有するカード型電子部品を提供することができる。
【００５０】
なお、カードアダプタ部２１がモジュール部１１から容易に外れない状態となるような係止手段を備えていることが好ましく、例えば、モジュール部１１の所定の位置に突部を設け、カードアダプタ部２１の対応する位置にこの突部を係止可能な穴部を設けてもよい。また、第２の実施の形態において、爪部２５及び凹部１４を設けてもよい。
【００５１】
上記実施の形態では、ＰＣ４１とプリンタ４３とを無線ＬＡＮ接続する場合を例に本発明を説明したが、電子機器はＰＣ４１とプリンタ４３とに限定されるものではなく、第１の規格に従った無線カードモジュールを装着可能な電子機器と、第１の規格と無線カードモジュールの長さが異なる第２の規格に従った無線カードモジュールを装着可能な電子機器とであればよい。また、ＰＣカード１、コネクタピン２６及びコネクタホール１２，２２等は、上記実施の形態に限定されるものではなく、電子機器を装着するカード型電子部品の規格に応じて種々の形状にすることが可能である。
【図面の簡単な説明】
【００５２】
【図１】本発明の第１の実施の形態のＰＣカードを示す斜視図である。
【図２】ＰＣカードの構成を示す図である。
【図３】モジュール部にカードアダプタ部を取り付けた状態を示す図である。
【図４】無線ＬＡＮ接続方法を説明するための図である。
【図５】第２の実施の形態のカードアダプタ部を示す図である。
【図６】モジュール部にカードアダプタ部を取り付ける方法を説明するための図である。
【図７】カードアダプタ部にモジュール部の端部を挿入した状態を示す図である。
【図８】モジュール部にカードアダプタ部を取り付けた状態を示す図である。
【図９】他の実施の形態のモジュール部を示す図である。
【符号の説明】
【００５３】
１  ＰＣカード
１１  モジュール部
１２  コネクタホール
１３  溝部
１４  凹部
１５  突部
２１  カードアダプタ部
２２  コネクタホール
２３  保護部
２４  脚部
２５  爪部
２６  コネクタピン
２７  バネ部
３１  アンテナ
４１  ＰＣ
４２  装着部
４３  プリンタ
４４  装着部
【図１】
2005295161.tif 000003
【図２】
2005295161.tif 000004
【図３】
2005295161.tif 000005
【図４】
2005295161.tif 000006
【図５】
2005295161.tif 000007
【図６】
2005295161.tif 000008
【図７】
2005295161.tif 000009
【図８】
2005295161.tif 000010
【図９】
2005295161.tif 000011